(57)【特許請求の範囲】
【請求項１】
飲料缶に代表されるイージーオープン機構を備え付けた容器の蓋であって、タブの縦方向長さａとリベット先端からタブ切れ込み先端までの距離ｃとの比ａ／ｃが９．０〜２６．０であり、リベット中心Ｑから開口案内線までの最大距離をｗとし、タブの形状が、リベット中心Ｑを通るタブ幅方向の中心線とタブ端の交点をＸとし、これとリベット中心Ｑまでの距離をｘ、リベット中心Ｑから、タブ幅方向中心線と−５°〜−３０°をなしリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点までの距離の最大値をｔとするとき、
２≦ｗ／ｘ≦３  かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であり、タブの形状が、リベット中心Ｑを通り、タブ幅方向中心線と４０°〜６０°をなす直線上のタブ端において、曲率半径ＺＲｚが２．５ｍｍ以下の形状となる部分を有することを特徴とする開口の容易な蓋。
【請求項２】
タブに初期裂開のための突起Ｓを有し、リベット中心Ｑを通るタブ幅方向の中心線と突起Ｓとリベット中心Ｑとを結ぶ直線とのなす角度が−３０°以上＋１０°以下であることを特徴とする請求項１に記載の開口の容易な蓋。
【発明の詳細な説明】
【０００１】
【発明の属する技術分野】
本発明は、飲料や飲料等を収納する缶体容器に取り付けられるイージーオープン機構を備えた蓋に関するものである。
【０００２】
【従来の技術】
缶体容器には缶胴部とその両側に蓋を取り付けた３ピース缶と呼ばれるものと缶胴部と缶底部が一体となった容器に蓋を取り付けた２ピース缶と呼ばれるものがある。このうち２ピース缶と呼ばれるものは通常一方に取り付けられた蓋部にステイオンタイブのイージーオープン機構が備え付けられており、最近ではこの形式の缶体容器の需要が伸びている。この容器は、蓋は缶の胴体部とは別に製造され最終的に巻締めにより缶胴部に装着される。この容器の重要な特性のひとつに開蓋性があるが、この開蓋性は開口部のデザイン、開口案内線の厚み等に影響される。特開平７−２４２２３４号公報には開口部に裂開誘導用スコアーを設けることで開口性を改善する技術が、特開平８−２６２７４号公報にはリベット部の形状を制御することで開口性を改善する技術が公開されている。
【０００３】
【発明が解決しようとする課題】
前記特開平７−２４２２３４号公報で公開されている技術は開口させるためのスコアーの他に開口を誘導するための補助スコアーを設けることで開口性の目安となるポップ値およびティアー値を下げることを狙っているが、このスコアーには高い成形精度が要求されると思われることからその生産性に問題がある可能性がある。また、特開平８−２６２７４号公報では通常円形状をした開口片側に相当するリベット前端部の曲率を小さくすることで開口性を向上させるものであるが、このような形状のリベットの成形は生産性に問題があると思われる。これらの方法はどちらも蓋パネルの成形に関するものであり前述したように成形時に問題が生じる可能性がある。
このような状況を鑑み、本発明の目的は蓋パネルの成形については変更を加えることなく、タブの形状を制御することで開口を容易にした蓋を提供することにある。
【０００４】
【課題を解決するための手段】
本発明者らは、上記課題を解決するために基礎的な検討を実施した。その結果、タブ先端部の形状を改良することで蓋パネルの形状を変更することなく開口性を向上できることを見出した。すなわち本発明の要旨とするところは以下のとおりである。
（１）飲料缶に代表されるイージーオープン機構を備え付けた容器の蓋であって、タブの縦方向長さａとリベット先端からタブ切れ込み先端までの距離ｃとの比ａ／ｃが９．０〜２６．０であり、リベット中心Ｑから開口案内線までの最大距離をｗとし、タブの形状が、リベット中心Ｑを通るタブ幅方向の中心線とタブ端の交点をＸとし、これとリベット中心Ｑまでの距離をｘ、リベット中心Ｑから、タブ幅方向中心線と−５°〜−３０°をなしリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点までの距離の最大値をｔとするとき、
２≦ｗ／ｘ≦３  かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であり、タブの形状が、リベット中心Ｑを通り、タブ幅方向中心線と４０°〜６０°をなす直線上のタブ端において、曲率半径ＺＲｚが２．５ｍｍ以下の形状となる部分を有することを特徴とする開口の容易な蓋。
【０００６】
（２）タブに初期裂開のための突起Ｓを有し、リベット中心Ｑを通るタブ幅方向の中心線と突起Ｓとリベット中心Ｑとを結ぶ直線とのなす角度が−３０°以上＋１０°以下であることを特徴とする前記（１）に記載の開口の容易な蓋にある。
【０００７】
【発明の実施の形態】
以下、本発明について詳細に説明する。
本発明者らは、イージーオープン機構を持つ蓋を容器に備え付ける方法について様々な検討を行い、タブ先端部の形状、特にリベット取付部周りの形状を制御することで開缶の容易な容器を製造できる事を見出した。
図１に本発明の基本となる形状の外観を示す。この容器では図１に示されるタブ１の端部を持ち上げることで、開口案内線２を破断していくが、その際の開口性の目安となるものとして開口案内線２が最初に断裂する際の力であるポップ値と、その後タブ１を引っ張り上げて開口案内線２に沿って開口していく際の最大力であるティアー値がある。このポップ値とティアー値はタブ後端部に掛かる力で測定するため、タブ１を引っ張り上げていった時のタブ先端とタブ後端の回転の支点となる位置によりその値は大きく変化する。
【０００８】
タブは通常、蓋中心に設けられたリベットに取り付けられるが、支点の位置は通常リベット先端部近傍となる。本発明者らは、この支点の位置をタブの形状で制御することを狙い様々な検討を行いタブのリベット取付部近傍の切れ込みを制御することで支点の位置を制御でき開口性を向上できることを見出した。
この機能を発揮するためには、タブの縦方向長さａとリベット先端からタブ切れ込み先端までの距離ｃとの比ａ／ｃが９．０以上２６．０以下とする必要がある。望ましくは１３．０以上２２．０以下である。
ａ／ｃが９．０未満では支点がタブ先端に近づき過ぎて、タブとしてのストロークが小さくなり過ぎて、極端な場合にはＰＯＰが開蓋できなくなり、ＰＯＰが開蓋できても、ティアーへの移行が困難になる。また、ａ／ｃが２６．０超では支点はリベット近傍にあるため開口性は改善されない。
【０００９】
さらに、発明者らは、種々の検討の結果、初期開口のためのタブの作用点とその後の開口のためのタブの作用点を別個に備え付けることが望ましく、そのためのタブ形状を見出した。
タブの形状が、リベット中心Ｑから開口案内線までの最大距離をｗとするとき、リベット中心Ｑを通るタブ幅方向の中心線とタブ端の位置Ｘとリベット中心Ｑまでの距離をｘ、リベット中心Ｑから、タブ幅方向中心線と−５°〜−３０°をなすリベット中心Ｑを通る直線とタブ端との交点までの距離の最大値をｙ、リベット中心Ｑから、タブ幅方向中心線と４０°〜６０°をなすリベット中心Ｑを通る直線とタブ端との交点までの距離の最大値をｚ、リベット中心Ｑから、タブ幅方向中心線と５°〜３０°をなすリベット中心Ｑを通る直線とタブ端との交点Ｔまでの距離の最大値をｔとするとき、
２≦ｗ／ｘ≦３、かつ、ｘ−２ｍｍ≦ｙ≦ｘ＋０．５ｍかつ、
ｔ＋０．２ｍｍ≦ｚ≦ｘ＋３．５ｍｍかつ、
ｘ−２．５ｍｍ≦ｔ≦ｘ＋１．５ｍｍ
の関係であることが望ましい。
【００１０】
以下に、ｘ，ｙ，ｚ，ｔの範囲を定めた理由を述べる。
ｗ／ｘ＞３では、開口舌片を開口案内線に沿って開口させていく時にストロークが足りずスムーズに全開出来なくなる場合がある。また、ｗ／ｘ＜２では、初期開口時の作用点がＸ近傍となり開口案内線から離れ過ぎて、ポップ値が高くなり、開口性が著しく劣化する場合があり、好ましくは２．１≦ｗ／ｘ≦２．７であることが望ましい。ｘ−２ｍｍ＞ｙでは、初期開口時の作用点がＸ近傍となり、開口案内線から離れ過ぎて、ポップ値が高くなり、開口性が劣化する場合があり、ｘ＋０．５ｍｍ＜ｙでは初期開口時の作用点が開口案内線から離れ過ぎて、ポップ値が高くなり、開口性が劣化する場合があり、好ましくはｘ−１ｍｍ≦ｙ≦ｘ−０．２ｍｍが好ましい。
【００１１】
ｔ＞ｘ＋１．５ｍｍでは、初期開口した後、引き続いて全体が開口していく過程での開口力であるティアー値が高いことがあり、極端な場合には初期開口のみで全体が開口できないことがあるためである。
ｘ−２．５ｍｍ＞ｔでは、タブ自体の剛性が低下して開蓋性が不安定となることがあり、好ましくない。即ちタブの初期開口時の作用点やその後のティアー開口の作用点の剛性が低下することがあるためである。
ｔ＋０．２ｍｍ＞ｚでは、開口舌片を開口案内線に沿って開口させていく時にストロークが足りず全開出来なくなることがある。ｘ＋３．５ｍｍ＜ｚでは初期開口時からこの部分が開口舌片と接触し、開口性が著しく劣化する場合があり、好ましくはｔ＋０．６ｍｍ≦ｚ≦ｘ＋２．３ｍｍであることが望ましい。
【００１２】
さらに、タブの形状が、リベット中心Ｑを通り、タブ幅方向中心線と４０°〜６０°をなす直線上のタブ端において、曲率半径ＺＲｚが２．５ｍｍ以下の形状となる部分を有することが望ましい。曲率半径ＺＲｚが２．５ｍｍ以下の形状となる部分を有しない場合には、ティアーの開蓋が不十分となる場合があるためである。曲率半径ＺＲｚが２．５ｍｍ以下の部分で開口片をしっかり押し下げられるタブ形状であることが望ましい。
【００１３】
さらに、タブに初期裂開のための突起Ｓを、リベット中心Ｑを通るタブ幅方向の中心線と突起Ｓとリベット中心Ｑとを結ぶ直線が＋１０°以上−３０°以下の角度をなすように設けることが望ましい。リベット中心Ｑを通るタブ幅方向の中心線と突起Ｓとリベット中心Ｑとを結ぶ直線との角度が＋１０°以上−３０°以下の範囲を外れると突起Ｓの効果を有効に活用できなくなる。より好ましくは、＋５°以上−２５°以下の範囲が好ましい。また突起の突出量は、その効果を確保するため０．２ｍｍ以上が、タブ取り付け作業性から３ｍｍ以下が望ましい。尚、本発明が対象とするタブの、リベットより後端側は、基本的に線対称な形状である。上記の中心線とはこの対称な形状の中心線をいう。
【００１４】
又、角度はこの中心線を基準として表示する。中心線のいずれの側を正としてもよい。従って、図３に示した実施例と、中心線に対して対称なタブも当然本発明に含まれる。
タブは鋼板やアルミ合金板で製造されるが、本発明はどのような金属に対しても適用可能で、表面処理を施していない鋼板、表面処理を施した鋼板、アルミ合金板、およびこれらの表面に樹脂フィルムを貼付した金属板を用いても問題ない。また、表面処理の種類、フィルムの種類、フィルムの貼付方法等の限定はなく、その他、表面への各種処理を施した場合にも利用可能である。
【００１５】
蓋パネルについても鋼板やアルミ合金が用いられるが、これについてもタブの素材と同様である。蓋パネルに設けられる開口案内線の形成方法には様々な種類があり、たとえば台形形状のスコアー加工を施す、台形形状の先端の幅や台形形状の角度等を変化させたスコアー加工を施す、角部に曲率を付加したスコアー加工を施す等の方法があるが、本発明に対してはどのような開口案内線形状でも使用可能である。
【００１６】
【実施例】
以下、本発明の実施例について説明する。
図２及び４に本発明を適用して作製した代表的な蓋を示す。
この蓋では距離ａが２６．０ｍｍ、距離ｃが１．５ｍｍ、であり、ａ／ｃが１７．３である。また、リベット中心から開口案内溝までの最大距離が１９．０ｍｍであるφ２００の蓋本体に、距離ｘが８．１ｍｍ、距離ｙが７．４ｍｍ、距離ｚが９．７ｍｍ、距離ｔが９．０ｍｍ、リベット中心Ｑを通り、タブ幅方向中心線と４０°〜６０°をなす直線上のタブ端における曲率半径の最小値ＺＲｚが１．２５ｍｍ、初期裂開のための突起Ｓを２０°の位置に有するタブを取り付けてあり本発明の条件を満足している。蓋素材としてはＴ３材、タブ素材にはＴ４材を用い、残厚を５０μｍとしたが、ポップ値が１．５ｋｇｆ、ティアー値が１．７ｋｇｆであり、良好な開口性を示した。
また、開蓋安定性の調査として、２０００缶を作成し、２０００人が各１缶ずつを開蓋し、開蓋に成功したか否かを調べ、全てが失敗なく開蓋できた。
表１に、評価した結果をまとめて示すが、この実施例からわかるように、本発明を適用することで開缶の容易なイージーオープン蓋を備え付けた容器が得られる。
【００１７】
【表１】
0004276365.tif 000002
【００１８】
【発明の効果】
以上述べたように、本発明によりタブ先端部の形状を改良することで蓋パネルの形状を変更することなく開口性を向上できる極めて優れた効果を奏するものである。
【図面の簡単な説明】
【図１】本発明の基本となる形状の外観を示す図である。
【図２】本発明例を示す図である。
【図３】本発明の基本となる形状の外観を示す図である。
【図４】他の本発明例を示す図である。
【符号の説明】
１  タブ
２  開口案内線
３  リベット
【図１】
0004276365.tif 000003
【図２】
0004276365.tif 000004
【図３】
0004276365.tif 000005
【図４】
0004276365.tif 000006